(57)【要約】【課題】ガイダンスウインドウと操作ウインドウの同時表示要求がある場合、または両ウインドウが同じ表示位置になる場合、ガイダンスウインドウを常に上位に表示する。【解決手段】機器シンボル等を監視画面に表示処理するシンボル表示処理手段と、シンボルについての操作ウインドウおよびガイダンスウインドウを表示処理する表示処理手段とを有する監視制御システムにおいて、シンボル表示処理手段は、シンボル選択でそれに対応づけた操作ウインドウを表示させ（Ｓ３）、その表示応答通知の受信で当該シンボルに対応づけたガイダンスウインドウを表示させる（Ｓ５）。シンボル表示処理手段は、シンボル選択で操作ウインドウを表示させ、この一定時間後にガイダンスウインドウを表示させることも含む。【選択図】  図１
2005070874.tif 000002
【特許請求の範囲】
【請求項１】
機器シンボル、故障シンボル、計装シンボル等のシンボルを監視画面に表示処理するシンボル表示処理手段と、前記シンボルについての操作ウインドウを表示処理する操作ウインドウ表示処理手段と、前記シンボルについてのガイダンスウインドウを表示処理するガイダンスウインドウ表示処理手段とを有する監視制御システムにおけるウインドウ表示方法であって、
前記シンボル表示処理手段は、あるシンボルが選択されたときに、このシンボルに対応づけた操作ウインドウを前記操作ウインドウ表示処理手段により表示させ、前記操作ウインドウ表示処理手段からの表示応答通知の受信で当該シンボルに対応づけたガイダンスウインドウを前記ガイダンスウインドウ表示処理手段により表示させる過程を備えたことを特徴とする監視システムのウインドウ表示方法。
【請求項２】
機器シンボル、故障シンボル、計装シンボル等のシンボルを監視画面に表示処理するシンボル表示処理手段と、前記シンボルについての操作ウインドウを表示処理する操作ウインドウ表示処理手段と、前記シンボルについてのガイダンスウインドウを表示処理するガイダンスウインドウ表示処理手段とを有する監視制御システムにおけるウインドウ表示方法であって、
前記シンボル表示処理手段は、あるシンボルが選択されたときに、このシンボルに対応づけた操作ウインドウを前記操作ウインドウ表示処理手段により表示させ、この一定時間後に前記シンボルに対応づけたガイダンスウインドウを前記ガイダンスウインドウ表示処理手段により表示させる過程を備えたことを特徴とする監視システムのウインドウ表示方法。
【発明の詳細な説明】
【０００１】
【発明の属する技術分野】
本発明は、マルチウィンドウ表示機能を備えた監視制御システムに係り、特に監視画面上に複数のウインドウを同時表示する表示方法に関する。
【０００２】
【従来の技術】
プラントの監視制御を行うコンピュータシステムにおいて、監視画面上には、図３に示すように、監視するプラント設備に合わせた機器等のシンボルを配置して、機器等の現在の動作状態や故障状態を表示している。
【０００３】
この画面において、ある機器を操作する場合、その機器のシンボルをマウスでクリックして、動作状態、故障状態や機器操作の指令ボタンを配置した操作ウィンドウを表示して、そのボタンを押すことで制御を行う。また、その機器に関連した情報を表示したい場合は、その機器シンボルの近くに、その情報を表示するためのボタンまたはマークを情報毎に配置している。その情報とは、たとえば以下の様な項目がある。
（１）機器の操作ウインドウとガイダンスウインドウ
（２）機器故障時の操作ウインドウとガイダンスウインドウ
（３）機器をＩＴＶ（工業用テレビ）カメラで監視している場合のＩＴＶ画面表示
（４）機器の設備情報
（５）機器故障時の関連ウィンドウの表示
（６）機器故障時の関連画面への展開、但し、情報の表示が不要の機器はシンボルのみとする。
【０００４】
これら情報は、画面作成時に、シンボル（機器シンボル、故障シンボル、計装シンボル）に対して表示する操作ウィンドウやガイダンスウインドウを割付け、ボタンやマークには表示する情報を割付け、マウス等のポインティングデバイスによる機器の選択操作で表示される（例えば、特許文献１参照）。
【０００５】
図４は、故障機器に対するウインドウ表示例を示し、画面上に表示される故障機器シンボルＡをマウスクリックすると、シンボルＡに登録されている操作ウインドウＢやガイダンスウインドウＣが画面表示される。
【０００６】
【特許文献１】
特開２０００−２２２０２８
【０００７】
【発明が解決しようとする課題】
前記のシンボル表示に対応させたウインドウ表示において、画面上に表示するウインドウの位置や大きさ、ウインドウ上で選択表示する文字等は、プログラム上であらかじめ決められている。図４の場合、操作ウインドウＢはシンボルＡの位置を考慮して画面右から順に表示される。ガイダンスウインドウＣは画面中央に表示される。また、一般には、ガイダンスウインドウＣは操作ウインドウＢより上位に表示される。
【０００８】
ここで、あるシンボル表示に対応させて操作ウインドウとガイダンスウインドウの両方を同時に表示する要求があった場合、これらウインドウは表示文字数が他のウインドウに比べて多く、必然的に大きなウインドウになるため、図５の（ａ）に示すように、シンボルの表示位置や表示個数が多い場合に操作ウインドウとガイダンスウインドウが重なって表示されることがある。
【０００９】
同図では、ガイダンスウインドウＣが上位に表示された場合である。しかし、監視システムの性能や操作ウインドウの表示内容によっては、図５の（ｂ）に示すように、ガイダンスウインドウＣが先に表示されて、その後の操作ウインドウＢの表示でガイダンスウインドウＣが操作ウインドウＢに隠れてしまうことがあり、監視員にはガイダンスウインドウＣの表示内容を確認できない場合がある。
【００１０】
この場合、ガイダンスウインドウＣのガイダンスを読み取るには、操作ウインドウＢの消去ボタンをマウスクリックし、ガイダンスウインドウＣを表示し、その視認で操作ウインドウＢの再表示操作が必要になり、監視員には煩わしい操作になっている。
【００１１】
本発明の目的は、ガイダンスウインドウと操作ウインドウの同時表示要求がある場合、または両ウインドウが同じ表示位置になる場合、ガイダンスウインドウを常に上位に表示できるようにしたウインドウ表示方法を提供することにある。
【００１２】
【課題を解決するための手段】
本発明は、前記の課題を解決するため、監視画面にシンボルが表示された状態で、あるシンボルが選択されたときに、そのシンボルに対応づけた操作ウインドウを表示させ、この表示応答通知の受信で該シンボルに対応づけたガイダンスウインドウを表示させる方法、またはあるシンボル選択で操作ウインドウを表示させ、この一定時間後にガイダンスウインドウを表示させる方法とするもので、以下の方法を特徴とする。
【００１３】
（１）機器シンボル、故障シンボル、計装シンボル等のシンボルを監視画面に表示処理するシンボル表示処理手段と、前記シンボルについての操作ウインドウを表示処理する操作ウインドウ表示処理手段と、前記シンボルについてのガイダンスウインドウを表示処理するガイダンスウインドウ表示処理手段とを有する監視制御システムにおけるウインドウ表示方法であって、
前記シンボル表示処理手段は、あるシンボルが選択されたときに、このシンボルに対応づけた操作ウインドウを前記操作ウインドウ表示処理手段により表示させ、前記操作ウインドウ表示処理手段からの表示応答通知の受信で当該シンボルに対応づけたガイダンスウインドウを前記ガイダンスウインドウ表示処理手段により表示させる過程を備えたことを特徴とする。
【００１４】
（２）機器シンボル、故障シンボル、計装シンボル等のシンボルを監視画面に表示処理するシンボル表示処理手段と、前記シンボルについての操作ウインドウを表示処理する操作ウインドウ表示処理手段と、前記シンボルについてのガイダンスウインドウを表示処理するガイダンスウインドウ表示処理手段とを有する監視制御システムにおけるウインドウ表示方法であって、
前記シンボル表示処理手段は、あるシンボルが選択されたときに、このシンボルに対応づけた操作ウインドウを前記操作ウインドウ表示処理手段により表示させ、この一定時間後に前記シンボルに対応づけたガイダンスウインドウを前記ガイダンスウインドウ表示処理手段により表示させる過程を備えたことを特徴とする。
【００１５】
【発明の実施の形態】
図１は、本発明の実施形態を示すウインドウ表示処理手順であり、操作ウインドウ表示応答通知によるガイダンスウインドウ表示により、ガイダンスウインドウを常に上位に表示できるようにする。
【００１６】
シンボル表示処理手段は、複数のシンボルを監視画面に表示、または、あるシンボルに対応する機器等に故障が発生してそのフリッカ表示等で故障シンボルを表示し、この状態で入力コマンドの待機状態にしておく（Ｓ１）。この状態で、入力コマンドの発生にはその入力コマンドをチェックする（Ｓ２）。
【００１７】
この入力コマンドがシンボル選択であるとき、シンボル表示処理手段は、操作ウインドウ表示コマンドを発生する（Ｓ３）。この操作ウインドウ表示コマンドは、操作ウインドウ表示処理手段に与え、操作ウインドウ表示処理手段では操作ウインドウの表示処理を実行し、この実行で表示応答通知をシンボル表示処理手段に送信する（Ｓ４）。
【００１８】
シンボル表示処理手段は、操作ウインドウ表示処理手段からの表示応答を入力チェックで判別し（Ｓ２）、この受信でガイダンスウインドウ表示コマンドをガイダンスウインドウ表示処理手段に与え、ガイダンスウインドウ表示処理手段ではガイダンスウインドウの表示処理を実行する（Ｓ５）。
【００１９】
したがって、シンボル表示処理手段は、複数のシンボル表示状態で、あるシンボルの選択操作で、まず操作ウインドウを表示し、その表示応答の受信でガイダンスウインドウを表示する処理手順を設けることにより、ガイダンスウインドウと操作ウインドウの同時表示要求があり、両ウインドウが同じ表示位置になる場合にも、ガイダンスウインドウを常に上位に表示できる。
【００２０】
図２は、本発明の他の実施形態を示すウインドウ表示処理手順であり、タイマーによるガイダンスウインドウ表示により、ガイダンスウインドウを常に上位に表示できるようにする。
【００２１】
図１のシンボル表示状態（Ｓ１）において、あるシンボルがマウスで選択操作されたとき（Ｓ１１）、シンボル表示処理手段は操作ウインドウ表示コマンドを発生し、操作ウインドウ表示処理手段による操作ウインドウの表示処理を実行させる（Ｓ１２）。
【００２２】
このシンボル表示処理手段は、操作ウインドウ表示コマンドの発信時に、現在時刻を取得しておき（Ｓ１３）、この時刻から一定秒経過を待ち（Ｓ１４）、ガイダンスウインドウ表示コマンドを発生し、ガイダンスウインドウ表示処理手段によるガイダンスウインドウの表示処理を実行させる（Ｓ１５）。
【００２３】
したがって、シンボル表示処理手段は、複数のシンボル表示状態で、あるシンボルの選択操作で、まず操作ウインドウを表示し、その表示かた一定時間後にガイダンスウインドウを表示する処理手順を設けることにより、ガイダンスウインドウと操作ウインドウが同じ表示位置になる場合にも、ガイダンスウインドウを常に上位に表示できる。
【００２４】
なお、本発明は、図１または図２に示す表示処理手順に限られるものでなく、監視制御システムに搭載するシステム表示機能と操作ウインドウ表示機能およびガイダンスウインドウ表示機能のソフトウェア構成に応じて適宜設計変更される。
【００２５】
【発明の効果】
以上のとおり、本発明によれば、監視画面上のシンボルが選択されたときに、そのシンボルに対応づけた操作ウインドウを表示させ、この表示応答通知の受信で該シンボルに対応づけたガイダンスウインドウを表示させる方法、またはシンボル選択で操作ウインドウを表示させ、この一定時間後にガイダンスウインドウを表示させる方法としたため、ガイダンスウインドウと操作ウインドウの同時表示要求がある場合、または両ウインドウが同じ表示位置になる場合、ガイダンスウインドウを常に上位に表示でき、監視員は煩わしい操作をすることなく、ガイダンスウインドウの表示内容を容易に確認できる。
【図面の簡単な説明】
【図１】本発明の実施形態を示す操作ウインドウ表示応答通知によるガイダンスウインドウ表示処理手順。
【図２】タイマーによるガイダンスウインドウ表示処理手順。
【図３】従来の監視画面の例。
【図４】従来の故障機器のウインドウ表示例。
【図５】従来の故障機器のウインドウ表示例。
【符号の説明】
Ａ…故障シンボル
Ｂ…操作ウインドウ
Ｃ…ガイダンスウインドウ
【図１】
2005070874.tif 000003
【図２】
2005070874.tif 000004
【図３】
2005070874.tif 000005
【図４】
2005070874.tif 000006
【図５】
2005070874.tif 000007